(57)【要約】【課題】使い勝手及び安全性に優れた開封前のタバコの包装構造を提供する。【解決手段】タバコ収容容器１０に、複数のタバコを取り出すための分離線１００が形成され、分離線は、タバコ収容容器の長方形をなす両端面をそれぞれ横断するように形成された端面分離線１１０と、タバコ収容容器の長手方向の一方の側面に形成された側面分離線１２０からなり、タバコ収容容器の両端面に形成された端面分離線の一端部１１１は、端面のタバコ収容容器高さ方向一方の上端角部から所定距離端面縁部に沿って下方に位置し、かつ他端部１１２は、上端角部から所定距離端面縁部に沿って下方に位置すると共に一端部よりもタバコ収容容器高さ方向で下側に位置するように端面分離線が延在し、側面分離線の両端部１２１，１２２は、各端面分離線の他端部にそれぞれ繋がっている。【選択図】図２
2009173318.tif 000002
【特許請求の範囲】
【請求項１】
開封前の複数のタバコと、
前記開封前の複数のタバコの幅広面をそれぞれ当接させた状態で収容する直方体形状を有する箱型のタバコ収容容器とを備えたタバコの収容構造であって、
前記タバコ収容容器には、前記複数のタバコを取り出すための分離線が形成され、前記分離線は、前記タバコ収容容器の長方形をなす両端面をそれぞれ横断するように形成された端面分離線と、前記タバコ収容容器の長手方向の一方の側面に形成された側面分離線からなり、
前記タバコ収容容器の両端面に形成された端面分離線の始端部をなす一端部は、前記端面のタバコ収容容器高さ方向一方の上端角部から所定距離だけ端面縁部に沿って下方に位置し、かつ前記端面分離線の他端部は、前記端面のタバコ収容容器高さ方向他方の上端角部から所定距離だけ端面縁部に沿って下方に位置すると共に前記端面分離線の一端部よりもタバコ収容容器高さ方向で下側に位置するように該端面分離線が延在し、
前記側面分離線の両端部は、前記各端面分離線の他端部にそれぞれ繋がっており、
前記側面分離線と前記端面分離線を介して前記タバコ収容容器を開封することにより、前記タバコ収容容器をタバコ収容容器本体と蓋体とに分離するようになっており、前記タバコ収容容器の開封の際に前記端面分離線の一端部を両端とする回転中心軸線回りに前記蓋体を回転させて、前記タバコ収容容器内に収容された各タバコの上部が全体的に露出するようにしたことを特徴とする開封前のタバコの包装構造。
【発明の詳細な説明】
【技術分野】
【０００１】
本発明は、開封前の複数のタバコを収容容器に包装する開封前のタバコの包装構造に関する。
【背景技術】
【０００２】
従来から開封前のタバコを包装するタバコの包装構造が知られている（例えば、特許文献１参照。）。
【０００３】
この特許文献１に記載のタバコの包装構造は、角柱形状であり三角形の断面を有する煙草箱が長手方向の主軸に整列可能なグループを形成するために、整列する方向を横断する単一の煙草箱の軸を備え、並んで互いに直接接触して配列されている。煙草箱が組立てられたグループは、角柱形状で、台形の外観の長手方向断面を有し、長手方向の主軸上に同様に整列され、同様に、角柱で二等辺台形の外形の長手方向の輪郭を示す硬質のカートンに包装されるようになっている。
【特許文献１】特開２００７−３２６６４５（第４−６頁、図１）
【発明の開示】
【発明が解決しようとする課題】
【０００４】
一方、このような三角形状の断面を有するタバコの代わりに通常の細長直方体形状を有するタバコを包装する開封前のタバコの包装構造が知られている。このタバコの包装構造を図７及び図８に示す。図７は、従来の開封前のタバコの包装構造を示す斜視図であり、図８は、図７のタバコの包装構造のタバコ収容容器を開封した状態を示す斜視図である。図７及び図８に示すように、開封前のタバコの包装構造は、厚み方向ではなく幅方向に直列に５個繋げたタバコ１を二重に並べたワンカートンのタバコをタバコ収容容器５０に収容している。
【０００５】
そして、タバコ収容容器５０を開封する際は、タバコ収容容器５０の上部に設けられたタバコ収容容器５０の長手方向の一方の上側角部５１１，５１２をヒンジ中心とした細長の第１のカバー５１と、タバコ収容容器５０の長手方向の他方の上側角部５２１，５２２をヒンジ中心とした細長の第２のカバー５２の互いに接合した部分を剥離して互いのヒンジ部分を中心としてタバコ収容容器５０の上面を開口し、この上面からタバコ収容容器５０に収容されたタバコ１を掴み出すようになっている。
【０００６】
このような図７及び図８に示した従来の開封前のタバコの包装構造によると、タバコ収容容器５０を開封した後に、タバコ収容容器５０の開口部５０ａがタバコ収容容器５０に収容されたタバコ１の上端面１ａと一致するようになる。そのため、タバコ１を取り出すときにタバコ１を掴み難いばかりでなく、指をタバコ収容容器５０の開口部５０ａの縁部や各カバー５１，５２の縁部で切って思わぬ怪我をすることもある。
【０００７】
また、タバコ収容容器内には、タバコ１が上述した配置関係で収容されているため、タバコ１を片手で例えば親指と人差し指や薬指との間で挟んで取り出そうとしても、指同士の限られた間隔と掴み出そうとする複数のタバコの幅との関係上、指同士の間にタバコ１を複数重ねた状態で挟んで取り出すことができない。
【０００８】
本発明の目的は、タバコ収容容器に収容された開封前のタバコをタバコ収容容器から取り出すに当って、タバコを取出し易くかつ収容容器で指を切ることがない使い勝手及び安全性に優れた開封前のタバコの包装構造を提供することにある。
【課題を解決するための手段】
【０００９】
上述の課題を解決するために、本発明の請求項１に記載の開封前のタバコの包装構造は、
開封前の複数のタバコと、
前記開封前の複数のタバコの幅広面をそれぞれ当接させた状態で収容する直方体形状を有する箱型のタバコ収容容器とを備えたタバコの収容構造であって、
前記タバコ収容容器には、前記複数のタバコを取り出すための分離線が形成され、前記分離線は、前記タバコ収容容器の長方形をなす両端面をそれぞれ横断するように形成された端面分離線と、前記タバコ収容容器の長手方向の一方の側面に形成された側面分離線からなり、
前記タバコ収容容器の両端面に形成された端面分離線の始端部をなす一端部は、前記端面のタバコ収容容器高さ方向一方の上端角部から所定距離だけ端面縁部に沿って下方に位置し、かつ前記端面分離線の他端部は、前記端面のタバコ収容容器高さ方向他方の上端角部から所定距離だけ端面縁部に沿って下方に位置すると共に前記端面分離線の一端部よりもタバコ収容容器高さ方向で下側に位置するように該端面分離線が延在し、
前記側面分離線の両端部は、前記各端面分離線の他端部にそれぞれ繋がっており、
前記側面分離線と前記端面分離線を介して前記タバコ収容容器を開封することにより、前記タバコ収容容器をタバコ収容容器本体と蓋体とに分離するようになっており、前記タバコ収容容器の開封の際に前記端面分離線の一端部を両端とする回転中心軸線回りに前記蓋体を回転させて、前記タバコ収容容器内に収容された各タバコの上部が全体的に露出するようにしたことを特徴としている。
【００１０】
本発明の開封前のタバコの包装構造によると、上述した分離線に沿ってタバコ収容容器を開封することで、タバコ収容容器本体と蓋体に分け、かつ端面分離線の一端部を両端とする回転中心軸線回りに蓋体を回転させることによって、タバコの上部の一部をタバコ収容容器本体の上側から全体的に突出させることができる。
【００１１】
なお、タバコ収容容器の両端面に形成された端面分離線の始端部をなす一端部は、端面のタバコ収容容器高さ方向一方の上端角部から所定距離だけ端面縁部に沿って下方に位置し、かつ端面分離線の他端部は、端面のタバコ収容容器高さ方向他方の上端角部から所定距離だけ端面縁部に沿って下方に位置すると共に端面分離線の一端部よりもタバコ収容容器高さ方向で下側に位置するように該端面分離線が延在している。
【００１２】
タバコ収容容器をこのような分離線を介してタバコ収容容器本体と蓋体とに分けることで、蓋体をタバコ収容容器本体から開く際に各端面分離線の一端部を回転軸線とする回転モーメントが作用し易くなり、蓋体をタバコ収容容器容器本体に対して十分開くことができる。その結果、タバコ収容容器本体からタバコの上部を全体的に突出させることができ、タバコが取り出し易くなる。
【００１３】
また、本発明では複数のタバコがタバコ収容容器内に各幅広面が当接されるように並んで収容されているので、タバコの幅広面の一部を指で掴んで適当な数のタバコを容易に取り出すことができる。
【００１４】
この際、各タバコの上部がタバコ収容容器本体から全体的に突出しているので、タバコを取り出す際にタバコ収容容器本体の開口縁部や蓋体の縁部で指を切ったりすることがない。
【００１５】
また、蓋体をタバコ収容容器の側方に至るまで完全に回転させることによって、タバコの幅広面を指で挟んで掴むだけでなく、タバコの側方厚み部分の角部近傍を指で掴んでも任意の数のタバコを取り出すことができる。従って、タバコの取出し易さが従来の開封前のタバコの包装構造よりも格段に向上する。
【００１６】
好ましくは、請求項１に記載の開封前のタバコの包装構造のタバコ収容容器は、透明の樹脂材でできているのが良い。タバコ収容容器が透明の樹脂材でできていることで、タバコの銘柄やタバコに表示された使用上の注意書き等をタバコ収容容器自体に表示しなくても外部からタバコに書かれたこれらの表示を確認することができる。
【００１７】
その結果、タバコ収容容器にこれらのタバコの銘柄や使用上の注意点を示す必要がなく、かつタバコの銘柄ごとに個別のタバコ収容容器を用意しなくて済むので在庫管理上優れる。
【００１８】
また、好ましくは、請求項１に記載した開封前のタバコの包装構造において、端面分離線と側面分離線はそれぞれ幅の狭い２本の分離線からなり、これらの端面分離線の端部を引張ることで端面分離線に挟まれた帯状の部分をタバコ収容容器から一気に引き剥がすことができるのが良い。
【００１９】
端面分離線と側面分離線がこのような構造を有することで、タバコ収容容器をタバコ収容容器本体と蓋体に容易に分けて展開することができる。
【発明の効果】
【００２０】
本発明によると、タバコ収容容器に収容された開封前のタバコをタバコ収容容器から取り出すに当って、タバコを取出し易くかつ収容容器で指を切ることがない使い勝手及び安全性に優れた開封前のタバコの包装構造を提供することができる。
【発明を実施するための最良の形態】
【００２１】
以下、本発明の一実施形態にかかる開封前のタバコの包装構造について図面に基づいて説明する。図１は、本発明の開封前のタバコの包装構造を示す斜視図であり、図２は、図１のタバコの包装構造のタバコ収容容器を開封した状態を示す斜視図である。
【００２２】
本発明の一実施形態にかかる開封前のタバコの包装構造は、図１に示すように開封前の複数のタバコ１と、開封前の複数のタバコ１の幅広面をそれぞれ当接させた状態で収容する直方体形状を有する箱型のタバコ収容容器１０とを備えたタバコ収容構造である。そして、タバコ収容容器１０には一般的な直方体形状のタバコが収容されている。
【００２３】
また、タバコ収容容器１０は、本実施形態の場合紙でできており、複数のタバコ１を取り出すための分離線１００（１１０，１２０）が形成されている。分離線１００は、タバコ収容容器に微小間隔を隔てたスリットを直線状又は曲線状をなすように連続的に形成することで構成されている。そして、分離線１００は、タバコ収容容器の長方形をなす両端面に各端面をそれぞれ横断するようにそれぞれ形成された端面分離線１１０と、タバコ収容容器の長手方向の一方の側面に形成された側面分離線１２０からなる。
【００２４】
タバコ収容容器１０の一方の端面に形成された端面分離線１１０の始端部をなす一端部１１１は、端面１０ａのタバコ収容容器高さ方向一方の上端角部１０ｂから所定距離Ｘだけ端面縁部に沿って下方に位置し、かつ端面分離線１１０の他端部１１２は、端面１０ａのタバコ収容容器高さ方向他方の上端角部１０ｃから所定距離Ｙだけ端面縁部に沿って下方に位置している。そして、Ｘ＜Ｙの寸法関係を有することで端面分離線１１０の他端部１１２が端面分離線１１０の一端部１１１よりもタバコ収容容器高さ方向で下側に位置するように端面分離線１１０が延在している。なお、図１及び図２では一方のタバコ収容容器１０の端面１０ａに形成される端面分離線１１０のみを示すが、タバコ収容容器１０の他方の端面１０ａ’に形成された端面分離線（図示せず）も同様の位置関係（寸法関係）を有している。
【００２５】
そして、本実施形態の場合、端面分離線１１０はタバコ収容容器１０の上側に向かって僅かに凸状をなす湾曲した曲線として形成され、タバコ収容容器１０を見る者の美観に訴えるようになっている。
【００２６】
一方、タバコ収容容器１０の一方の側面１０Ｓには側面分離線１２０が直線状に形成されている。そして、側面分離線１２０の両端部１２１，１２２は、各端面分離線１１０の他端部１１２にそれぞれ繋がっており、側面分離線１２０と端面分離線１１０に沿って分離することでタバコ収容容器１０の上部を展開するようになっている。この際、このような分離線１００を有することで、この２つの端面分離線１１０と側面分離線１２０を分離することで、タバコ収容容器１０をタバコ収容容器本体１１と蓋体１２とに分離する。
【００２７】
より具体的には、図２に示すように、この分離の際に端面分離線１１０の一端部１１１を両端とする回転中心軸線回りに蓋体１２を回転させて、タバコ収容容器内に収容された各タバコ１の上部が全体的に露出するようになっている。
【００２８】
本発明に係る開封前のタバコの包装構造がこのような構成を有することで、上述した分離線１００に沿ってタバコ収容容器１０をタバコ収容容器本体１１と蓋体１２に分け、かつ端面分離線１１０の一端部１１１を両端とする回転中心軸線回りに蓋体１２を回転させることによって、タバコ１の上部の一部をタバコ収容容器本体１１の上側から全体的に突出させることが可能となる。
【００２９】
タバコ収容容器１０をこのような分離線１１０，１２０を介してタバコ収容容器本体１１と蓋体１２とに分けることで、蓋体１２をタバコ収容容器本体１１から開く際に各端面分離線１１０の一端部を回転軸線とする回転モーメントが作用し易くなり、蓋体１２をタバコ収容容器容器本体１１に対して十分開くことができる。その結果、タバコ収容容器本体１１からタバコ１の上部を全体的に突出させることができ、タバコ１が取り出し易くなる。
【００３０】
そして、タバコ収容容器内に各タバコ１の幅広面がそれぞれ当接されるように並んで収容されているので、タバコ１の幅広面の一部を指で掴んで適当な数のタバコ１を容易に取り出すことが可能となる。
【００３１】
この際、各タバコ１の上部がタバコ収容容器本体から全体的に突出しているので、適当な数のタバコ１を指で容易に掴むことができると共に、タバコ１を指で掴む際にタバコ収容容器本体１１の開口縁部１２ａや蓋体１２の縁部１１ａで指を切って思わぬ怪我をすることもない。従って、タバコ１を取り出す際にタバコ収容容器本体５０の開口部５０ａの縁部で指を切って怪我をするおそれのある従来の開封前のタバコの包装構造（図８参照）よりも安全上格段に優れている。
【００３２】
また、蓋体１２をタバコ収容容器本体の側方に至るまで完全に回転させることによって、タバコ１の幅広面の指で挟んで掴むだけでなく、タバコ１の側方厚み部分の角部近傍を指で掴んでも任意の数のタバコ１を取り出すことができる。従って、タバコ１の取出し易さが従来の開封前のタバコの包装構造よりも格段に向上する。
【００３３】
また、端面分離線１１０の一端部を両端とするヒンジ状に回転させてタバコ収容容器本体１１の側方に蓋体１２を完全に開くことができるので、従来の開封前のタバコの包装構造のようにタバコ収容容器本体上部の開口部に連なった幅の狭い第１のカバー５１と第２のカバー５２の開き具合が中途半端になってタバコ１を取り出し難くなったり、これらカバー５１，５２の縁部で指を切ったりすることはない。
【００３４】
続いて、本発明の上述した開封前のタバコの包装構造の各種変形例について説明する。なお、以下の各種変形例においては、上述した実施形態に係る開封前のタバコの包装構造と同等の構成については対応する符号を付して詳細な説明を省略する。
【００３５】
図３は、本発明の一実施形態に係る開封前のタバコ収容容器の第１変形例を示す図１に対応する斜視図であり、図４は、本発明の第１変形例を示す図２に対応する斜視図である。
【００３６】
図３及び図４から分かるように、この第１変形例は、開封前のタバコ収容容器２０が紙でできている代りに、ある程度の厚みを有するパラフィンなどの透明な樹脂シートでできている。
【００３７】
そして、上述した実施形態と同等の分離線がタバコ収容容器２０の端面２０ａに端面分離線２１０が形成されている。即ち、上述した実施形態と同様の端面分離線２１０がタバコ収容容器２０の端面２０ａの両端に形成されると共に、側面分離線２２０が一方の側面２０ｓに形成されている。そして、この樹脂シートがある程度の厚みを有することによって、タバコ収容容器２０の開封前においては、直方体形状を維持すると共に、分離線２００を分離することによって開封した後においても上述した実施形態と同等のタバコ収容容器本体２１及び蓋体２２の形状を図４に示すように維持することができる。
【００３８】
開封前のタバコの包装構造が、このような透明の材質でできていることで、タバコ収容容器２０に収容されたタバコ１の銘柄や使用上の注意書き等を外部から直接確認することができ、上述の実施形態のように紙でできたタバコ収容容器１０の外側にタバコの銘柄や使用上の注意点等を表示する必要はない。なお、上述の実施形態及びその変形例においては、端面分離線１１０，２１０が曲線状をなしていたが、必ずしもこのような曲線状をなすことなく、直線状であっても構わない。
【００３９】
続いて、上述の実施形態の第２変形例について説明する。図５は、本発明の一実施形態に係る開封前のタバコ収容容器の第２変形例を示す図１に対応する斜視図であり、図６は、本発明の第２変形例を示す図２に対応する斜視図である。
【００４０】
上述の実施形態の第２変形例は、図５及び図６に示すように、端面分離線３１０及び側面分離線３２０がそれぞれ幅の狭い平行した２本の分離線３１１，３１２及び３２１，３２２から構成されている。なお、ここでは図示ないが、タバコ収容容器３０の他方の端面にもこの端面分離線３１０と同一の位置関係（寸法関係）で同等の端面分離線が形成されている。そして、一方の端部には図示しない耳部が突出しており、この耳部をつまんで引っ張ることにより、これらの分離線３１０，３２０に挟まれた帯状部分３０１，３０２を一気に取り去ることができるようになっている。
【００４１】
これによって、片手でタバコ収容容器３０を押さえて、もう片方の手の指でこの分離線３１０，３２０の耳部を引っ張るだけでタバコ収容容器３０をタバコ収容容器本体３１と蓋体３２に容易に分けることができ、使い勝手を向上させることができる。
【００４２】
なお、上述した実施形態及び各種変形例に係る開封前のタバコの包装構造は、タバコ収容容器の開封前のタバコを取り出す際に、上述した種々のメリットを有するだけでなく、例えばコンビニエンスストア等でのタバコ販売時に開封した後のタバコ収容容器を保管する際に幾つか残りのタバコをその収容容器内に入れておいて、適宜そのタバコの販売に応じて取り出す際に同様のメリット、即ちタバコを取り出し易く、かつタバコ収容容器の縁部で怪我をしないメリットを有しており、容器開封後の使い勝手も向上させている。
【００４３】
以上説明したように、本発明の開封前のタバコの包装構造によると、上述した分離線に沿ってタバコ収容容器を開封することで、タバコ収容容器本体と蓋体に分け、かつ端面分離線の一端部を両端とする回転中心軸線回りに蓋体を回転させることによって、タバコの上部の一部をタバコ収容容器本体の上側から全体的に突出させることができる。
【００４４】
また、タバコ収容容器をこのような分離線を介してタバコ収容容器本体と蓋体とに分けることで、蓋体をタバコ収容容器本体から開く際に各端面分離線の一端部を回転軸線とする回転モーメントが作用し易くなり、蓋体をタバコ収容容器容器本体に対して十分開くことができる。その結果、タバコ収容容器本体からタバコの上部を全体的に突出させることができ、タバコが取り出し易くなる。
【００４５】
また、本発明では複数のタバコがタバコ収容容器内に各幅広面が当接されるように並んで収容されているので、タバコの幅広面の一部を指で掴んで適当な数のタバコを容易に取り出すことができる。
【００４６】
この際、各タバコの上部がタバコ収容容器本体から全体的に突出しているので、タバコを取り出す際にタバコ収容容器本体の開口縁部や蓋体の縁部で指を切ったりすることがない。
【００４７】
また、蓋体をタバコ収容容器の側方に至るまで完全に回転させることによって、タバコの幅広面を指で挟んで掴むだけでなく、タバコの側方厚み部分の角部近傍を指で掴んでも任意の数のタバコを取り出すことができる。従って、タバコの取出し易さが従来の開封前のタバコの包装構造よりも格段に向上する。
【００４８】
好ましくは、上述した本発明に係る開封前のタバコの包装構造のタバコ収容容器は、透明の樹脂材でできているのが良い。タバコ収容容器が透明の樹脂材でできていることで、タバコの銘柄やタバコに表示された使用上の注意書き等をタバコ収容容器自体に表示しなくても外部からタバコに書かれたこれらの表示を確認することができる。
【００４９】
その結果、タバコ収容容器にこれらのタバコの銘柄や使用上の注意点を示す必要がなく、かつタバコの銘柄ごとに個別のタバコ収容容器を用意しなくて済むので在庫管理上優れる。
【００５０】
また、好ましくは、上述した本発明に係る開封前のタバコの包装構造において、端面分離線と側面分離線はそれぞれ幅の狭い２本の分離線からなり、これらの端面分離線の端部を引張ることで端面分離線に挟まれた帯状の部分をタバコ収容容器から一気に引き剥がすことが可能となる。
【００５１】
端面分離線と側面分離線がこのような構造を有することで、タバコ収容容器をタバコ収容容器本体と蓋体に容易に分けて展開することができる。
【図面の簡単な説明】
【００５２】
【図１】本発明の開封前のタバコの包装構造を示す斜視図である。
【図２】図１のタバコの包装構造のタバコ収容容器を開封した状態を示す斜視図である。
【図３】本発明の一実施形態に係る開封前のタバコ収容容器の第１変形例を示す図１に対応する斜視図である。
【図４】本発明の第１変形例を示す図２に対応する斜視図である。
【図５】本発明の一実施形態に係る開封前のタバコ収容容器の第２変形例を示す図１に対応する斜視図である。
【図６】本発明の第２変形例を示す図２に対応する斜視図である。
【図７】従来の開封前のタバコの包装構造を示す斜視図である。
【図８】図７のタバコの包装構造のタバコ収容容器を開封した状態を示す斜視図である。
【符号の説明】
【００５３】
１    タバコ
１ａ    上端面
１０    タバコ収容容器
１０ａ    端面
１０ａ’    他方の端面
１０ｂ    一方の上端角部
１０ｃ    他方の上端角部
１０ｓ    一方の側面
１１    タバコ収容容器本体
１１ａ    縁部
１２    蓋体
１２ａ    開口縁部
２０    タバコ収容容器
２０ａ    端面
２０ｓ    一方の側面
２１    タバコ収容容器本体
２２    蓋体
３０    タバコ収容容器
３１    タバコ収容容器本体
３２    蓋体
５０    タバコ収容容器
５０ａ    開口部
５１    第１のカバー
５２    第２のカバー
１００    分離線
１１０    端面分離線
１１１    一端部
１１２    他端部
１２０    側面分離線
１２１，１２２    両端部
２００    分離線
２１０    端面分離線
２２０    側面分離線
３０１，３０２    帯状部分
３１０    端面分離線
３１１，３１２    分離線
３２０    側面分離線
３２１，３２２    分離線
５１１，５１２    一方の上側角部
５２１，５２２    他方の上側角部
Ｘ，Ｙ    所定距離
【図１】
2009173318.tif 000003
【図２】
2009173318.tif 000004
【図３】
2009173318.tif 000005
【図４】
2009173318.tif 000006
【図５】
2009173318.tif 000007
【図６】
2009173318.tif 000008
【図７】
2009173318.tif 000009
【図８】
2009173318.tif 000010